(57)【特許請求の範囲】
【請求項１】
アレイ状につなぎ合わせた複数のスプリングによって形成されたインナースプリングであって、ここで前記スプリングは行および列に配置されており、各スプリングは第１の端部および第２の端部を備えたボディを有し、各スプリングの前記ボディは略円筒状であって縦軸および外径を有しており、前記スプリングは前記行および列において離間して配置されており、各スプリングが前記アレイ内のそれぞれ隣接するスプリングから離れた状態で離間した配置においてつなぎ合わされている、インナースプリングと、
前記インナースプリングのスプリング間の空間において前記インナースプリング内に配置された少なくとも１つのインナースプリング緩和用挿入体であって、前記インナースプリング緩和用挿入体は上部横方向部材、前記上部横方向部材と平行であり間隔があいている下部横方向部材、および前記上部および下部横方向部材の間にあってこれらを二分するように延びる横断部材を有している、インナースプリング緩和用挿入体と、を備え、
前記上部横方向部材は円弧状の上表面を含み、前記下部横方向部材は円弧状の下表面を含み、
前記上部および下部横方向部材は前記インナースプリングの隣接する２つのスプリング間をそれらの内部に向けて延び、かつ、前記隣接する２つのスプリングの縦軸と少なくとも部分的に交差している、マットレス用インナースプリング。
【請求項２】
前記少なくとも１つのインナースプリング緩和用挿入体のそれぞれは、傾斜したあるいは角度のある構成を有している、請求項１に記載のマットレス用インナースプリング。
【請求項３】
前記少なくとも１つのインナースプリング緩和用挿入体は、前記インナースプリングのスプリング間の前記空間内に傾斜した方向に配置される、請求項１に記載のマットレス用インナースプリング。
【請求項４】
前記複数のスプリングのそれぞれはＲＣＨ型コイルである、請求項１に記載のマットレス用インナースプリング。
【請求項５】
前記少なくとも１つのインナースプリング緩和用挿入体の高さ寸法は、およそ５７ｍｍ乃至６０ｍｍの範囲である、請求項１に記載のマットレス用インナースプリング。
【請求項６】
前記少なくとも１つのインナースプリング緩和用挿入体の幅寸法は、およそ９０．５ｍｍ乃至９４．２ｍｍの範囲である、請求項１に記載のマットレス用インナースプリング。
【請求項７】
３つのインナースプリング緩和用挿入体が、インナースプリング内に略Ｕ字型構成で配置されている、請求項１に記載のマットレス用インナースプリング。
【請求項８】
第１のインナースプリング緩和用挿入体が前記インナースプリングの第１の辺の長さに沿って配置され、第２のインナースプリング緩和用挿入体が前記第１のインナースプリング緩和用挿入体と平行に前記インナースプリングの第２の辺の長さに沿って配置され、さらに、第３のインナースプリング緩和用挿入体が前記第１および第２のインナースプリング緩和用挿入体の両方と垂直に前記インナースプリングの第３の辺の幅に沿って配置される、請求項１に記載のマットレス用インナースプリング。
【請求項９】
前記第１および第２のインナースプリング緩和用挿入体の長さがおよそ５７．２５インチであり、前記第３のインナースプリング緩和用挿入体の長さがおよそ３５インチ乃至５７．２５インチである、請求項８に記載のマットレス用インナースプリング。
【請求項１０】
前記インナースプリング内において互いに平行に配置された少なくとも２つのインナースプリング緩和用挿入体を有する、請求項１に記載のマットレス用インナースプリング。
【請求項１１】
前記少なくとも２つのインナースプリング緩和用挿入体は前記インナースプリングの対向するエッジの近くに配置される、請求項１０に記載のマットレス用インナースプリング。
【請求項１２】
前記第１、第２および第３のインナースプリング緩和用挿入体は、前記インナースプリングの３つのエッジ近くに配置される、請求項８に記載のマットレス用インナースプリング。
【請求項１３】
前記少なくとも１つのインナースプリング緩和用挿入体の断面形状の構成は、前記インナースプリングのスプリングの１つまたはそれ以上の巻きに従う、請求項１に記載のマットレス用インナースプリング。
【請求項１４】
アレイ状に相互に接続された複数の螺旋形コイルであって、前記コイルは概ね行および列に配列され、前記コイルのそれぞれは略円筒状のコイルボディを有し、前記コイルボディはワイヤの螺旋巻きによって形成され、前記ワイヤの螺旋巻きの各々の間に開口を有し、前記コイルボディの第１および第２の端部も前記ワイヤによって形成され、前記コイルボディのそれぞれは前記アレイにおいて間隔をあけて配置されている、複数の螺旋形コイルと、
前記インナースプリングの前記コイルのうち２つまたはそれ以上の間に係合して配置され、下部横方向部材と、前記下部横方向材に垂直でありこれを二分する垂直部材と、前記垂直部材の片側から外向きに延びる横方向伸長部とを有する、少なくとも１つのインナースプリング挿入体と、を備え、
前記下部横方向部材は前記インナースプリングの２つの隣接するコイルのボディ間をその内部に向けて延びており、前記横方向伸長部は前記２つの隣接するコイルのうち１つのボディ内部に向けて延びており、前記垂直部材は前記２つの隣接するコイルに接している、マットレス用インナースプリング。
【請求項１５】
前記複数の螺旋形コイルは２段構造のＲＣＨコイルである、請求項１４に記載のマットレス用インナースプリング。
【請求項１６】
前記複数の螺旋形コイルは非対称である、請求項１４に記載のマットレス用インナースプリング。
【請求項１７】
前記少なくとも１つのインナースプリング挿入体は、幅がおよそ７２．５ｍｍ乃至７７．５ｍｍである、請求項１４に記載のマットレス用インナースプリング。
【請求項１８】
前記少なくとも１つのインナースプリング挿入体は、長さがおよそ４４．５ｍｍ乃至４９．５ｍｍである、請求項１４に記載のマットレス用インナースプリング。
【請求項１９】
前記少なくとも１つのインナースプリング挿入体はポリエチレンからなる、請求項１４に記載のマットレス用インナースプリング。
【請求項２０】
前記少なくとも１つのインナースプリング挿入体の密度はおよそ１．２５  ｌｂ／ｆｔ３である、請求項１４に記載のマットレス用インナースプリング。
【請求項２１】
前記インナースプリング内において、互いに平行に配置された少なくとも２つのインナースプリング挿入体がある、請求項１４に記載のマットレス用インナースプリング。
【請求項２２】
前記インナースプリング内において、略Ｕ字型構成に配置された少なくとも３つのインナースプリング挿入体がある、請求項１４に記載のマットレス用インナースプリング。
【発明の詳細な説明】
【技術分野】
【０００１】
（関連出願）
本願は、２０１０年１２月６日に出願された「姿勢チャネル支持体（Ｐｏｓｔｕｒｅ  Ｃｈａｎｎｅｌ  Ｓｕｐｐｏｒｔｓ）」米国特許出願第１２／９６０，７３５号の一部継続出願であり、この出願は２００８年１０月９日に出願された「圧力分散型支持システム（Ｐｒｅｓｓｕｒｅ  Ｄｉｓｐｅｒｓｉｏｎ  Ｓｕｐｐｏｒｔ  Ｓｙｓｔｅｍ）」米国特許出願第１２／２４８，６０７号の継続出願であり、この出願は、２００８年１月１８日に出願された「インナースプリング緩和用挿入体（Ｉｎｎｅｒｓｐｒｉｎｇ  Ｄａｍｐｅｎｉｎｇ  Ｉｎｓｅｒｔｓ）」米国特許出願第１２／０１６，３７４号の一部継続出願であって、これらすべては全体として本明細書に援用される。
【０００２】
本発明は、座ったり寝たりする等、人間のための支持システムを含む反発支持システム、スプリング、およびスプリングシステムの技術分野に関する。
【背景技術】
【０００３】
様々なタイプのスプリングおよびスプリングシステムが、着座用反発コアおよび椅子やマットレスなどの支持製品として一般的に用いられている。マットレスおよび何らかの布張りされた家具において用いられる一般的なスプリングシステムは、いわゆる「インナースプリング」であり、一形態において、アレイまたはマトリクス状に相互に接続された同様に或いは全く同様に形成された複数のスプリングであり得る。インナースプリングは、分散型で概ね均質な反発支持システムを提供し、マットレスの睡眠用表面などの拡がる面に対して基礎となる支持を与える。そのような拡がる面にわたる均一なスプリングレートは、相互接続されたスプリングのそれぞれの共通な構成によるものである。インナースプリング全体またはインナースプリングの支持領域のスプリングレートおよび感触を変更する試みは、インナースプリング上に存在するフォーム（発泡体）、織物、および天然繊維などの材料の異なるタイプおよび量を使用することを含む。そのような材料の使用は支持システムの感触や性能を変えるが、もちろん、下にあるまたは内部のインナースプリングのスプリングレートを変えるものではない。
【発明の概要】
【発明が解決しようとする課題】
【０００４】
インナースプリングは、成形されたスチールワイヤからなり、個々のスプリングまたはコイルを成形した後それらをさらに細いレーシングワイヤまたは他の締結具によって相互に接続するワイヤ形成用機械によって製造される。機械が特定のスプリングまたはコイル構造および相互接続を作製するために一旦セットアップされると、大量生産がなされ、スプリングおよびインナースプリングの形状を変更することは難しい。従って、現在のインナースプリング生産技術を用いると、インナースプリングの異なる領域において変化するまたは一様でないスプリングレートおよび支持特性を有する単一のインナースプリングを生産することは現実的ではない。
【課題を解決するための手段】
【０００５】
一実施例において、アレイ状につなぎ合わせた複数のスプリングを有するインナースプリングと組み合わせて、マットレス用インナースプリング挿入体および支持体が開示される。ここで前記スプリングは行および列に配置されており、各スプリングは第１の端部および第２の端部を有するボディを備え、各スプリングの前記ボディは略円筒状であって縦軸および外径を有しており、前記スプリングは上記行および列において間隔をあけて配置されており、各スプリングが前記アレイ内のそれぞれ隣接するスプリングから離れた状態で離間した配置でつなぎ合わされている。少なくとも１つのインナースプリング挿入体またはインナースプリング緩和用フォーム挿入体が前記インナースプリングのスプリング間の空間において前記インナースプリングと係合しており、前記インナースプリング挿入体または緩和用挿入体は上部横方向部材と、前記上部横方向部材と平行かつ間隔をあけて配置される下部横方向部材と、前記上部および下部横方向部材の間にあってこれらを二分するように延びる横断（ｔｒａｎｓｖｅｒｓｅ）部材を有している。ここで、前記上部横方向部材は円弧状の上表面を含み、上記下部横方向部材は円弧状の下表面を含み、ここで前記上部および下部横方向部材は前記インナースプリングの２つの隣接するスプリングのコイル間およびそれらコイルの内部へ延びている。前記インナースプリング挿入体は、好ましくはフォーム材料からなり、さらに好ましくは、前記インナースプリングに取り付けられると実質的に圧縮された状態となり得、前記インナースプリングにかかる負荷が取り除かれると圧縮される前の構成に素早く戻る独立気泡型ポリウレタンフォームからなる。しかしながら、ここで説明されるインナースプリング挿入体は、いずれかの圧縮可能な反発性材料から形成することができる。
【０００６】
本発明の他の態様において、説明されるマットレス用インナースプリングは、アレイ状に相互に接続された複数の螺旋形コイルを有し、これらのコイルは概ね行および列に配列され、前記コイルのそれぞれは略円筒状のコイルボディを有し、前記コイルボディはワイヤの螺旋巻きによって形成され、前記ワイヤの螺旋巻きの各々の間に開口を有し、前記コイルボディの第１及び第２の端部もワイヤによって形成され、前記コイルボディのそれぞれはアレイにおいて離間して配置されている。少なくとも１つのインナースプリング緩和用挿入体が、前記インナースプリングの前記コイルのうち２つまたはそれ以上のコイルの間に係合して配置され、前記少なくとも１つのインナースプリング緩和用挿入体は、下部横方向部材と、前記下部横方向部材に垂直でありこれを二分する垂直部材と、前記垂直部材の片側から外向きに延びる横方向伸長部とを有する。前記下部横方向部材は、前記インナースプリングの２つの隣接するコイルのボディ間をそれらの内部に向けて延びており、横方向伸長部は前記２つの隣接するコイルのうち１つのボディ内に向けて延びており、垂直部材は前記２つの隣接するコイルに接している。
【図面の簡単な説明】
【０００７】
【図１】本発明による第１の実施例のインナースプリング緩和用挿入体の斜視図である。
【図２】図１の緩和用挿入体を有するインナースプリングの斜視図である。
【図３】図１の緩和用挿入体を有するインナースプリングにおいて用いることができるインナースプリングコイルの斜視図である。
【図４】図２のインナースプリングの一部側面図である。
【図５】図２のインナースプリングの一部端面図である。
【図６】図１のインナースプリング緩和用挿入体を備えた代表的なインナースプリングの平面図である。
【図７】本発明による第２の実施例のインナースプリング緩和用挿入体の斜視図である。
【図８】図７の緩和用挿入体を備えたインナースプリングの斜視図である。
【図９】図７に示すインナースプリング緩和用挿入体を備えたインナースプリングにおいて用いられることができるタイプのインナースプリングコイルの斜視図である。
【図１０】図８のインナースプリングの一部側面図である。
【図１１】図７に示すインナースプリング緩和用挿入体を備えた代表的なインナースプリングの平面図である。
【発明を実施するための形態】
【０００８】
本発明による上記およびその他の実施態様は添付の図面を参照してここで説明される。
【０００９】
図面に示すように、総体的に１１で参照されるインナースプリングは、複数のスプリングまたはコイル（ここでは、「コイル」または「スプリング」とも称される）を有する。しかし、本発明の開示は特定のタイプまたは形状のスプリングまたはコイル或いはインナースプリングその他の反発性装置に限定されるものではない。複数のコイルは、縦横の直交するアレイなどのアレイ状に配置され、レーシングワイヤによって相互に接続される。コイルは、一形態においては螺旋形ワイヤであって、隣接するコイルの巻きを編み合わせ、典型的にはインナースプリングの幅に亘って横方向に設けられているが、他の方向に設けられることも可能である。レーシングワイヤはコイルの片端または両端に設けることができる。コイル端はコイルボディの軸方向両端部に形成され、上述したようにインナースプリングの対向する面（上面および下面）に配列される。コイル端はインナースプリングの支持表面を規定する平面に配列される。このタイプの多くのインナースプリングにおいては、コイルの歪み、圧縮、および撓み、並びにコイル同士の接触がない状態での相対的な動きを許容できるようにするために、隣接するコイルボディの間にはオープンスペースがある。
【００１０】
本発明の第１の実施態様において、図示されるマットレス用インナースプリングのコイルは、ここでは、「逆コイルヘッドコイル」（以下、「ＲＣＨ（ｒｅｖｅｒｓｅ  ｃｏｉｌ  ｈｅａｄ）コイル」と称される）１５と称されるタイプのものである。ＲＣＨコイル１５は、複数の螺旋形の巻きによって形成される略円筒状のボディ１７を有しており、図３に示すように、各コイルのヘッド部または端部は互いに対して１８０度の方向を向いている。コイル端１６、１８各々はオフセットを有しており、対向するコイル端はコイルボディ１７の同じ側で終わるように互いに対して反転されている。逆コイルヘッドは、下向きの負荷がインナースプリングに印加された時にコイルが横方向に傾くことを防止する。略円筒状のコイルボディ１７は、コイル１５の螺旋形の巻きそれぞれの半径方向中心にコイルの長さに沿って延びる縦軸を有している。コイルボディ１７は、総体的に１６で示される第１のコイル端、および総体的に１８で示される第２のコイル端と連続している。「第１のコイル端」および「第２のコイル端」という呼び方は、識別および参照のためだけであって、コイル端の位置や向きを規定するものではない。従って、第１のコイル端１６または第２のコイル端１８のいずれも、ここでは「コイル端」と呼ばれることもある。コイル端１６、１８のいずれかは、片面型または両面型マットレスにおけるインナースプリングにおいて、コイル１５の支持端として働くことができる。コイル端１６、１８のそれぞれは、コイルボディ１７の縦軸に略垂直な各平面に概ね位置している。コイル端１６、１８は形状が同一であり、コイルボディ１７よりも大きな直径を有する。コイル端１６、１８はそれぞれ、３つのオフセット部と１つの開放端からなる開放端オフセット構成に形成される。コイル端１６、１８の全体形状は矩形である。オフセット部２０および２２は、互いにおよそ平行な略直線状のセグメントを有する。第３のオフセット部２３は、第１のオフセット部２０および第２のオフセット部２２の端部の間に延びており、複数の連続するセグメント２３ａ〜２３ｅからなるステップ付きのセグメントを有している。コイル端１６および１８などのように、１つまたはそれ以上の線形セグメントを有するコイル端は、円状端を有するコイルよりも、インナースプリングアレイにおいてコイル同士をより近くに配置することができ、さらにコイル間に渡すレーシングワイヤに対して線状の経路を提供することができるので有利である。コイルは、一列の中で隣接するコイルのオフセット部が重なるように配置される。さらに、重なったオフセット部の各対は、重なったオフセット部を相互に編み合わせるように複数の列に亘って螺旋形コイルスプリングの第１のセットをスパイラル状に旋回させることによって互いに固定される。
【００１１】
コイルは形状が略螺旋状であるので、各コイルの巻きは横方向に整列され、各コイル間、およびインナースプリングのコイルの行および列の間に波形または曲がりくねった空間または開口を共に形成する。これらの空間または開口１７は、それぞれのコイルボディの中へ延びている。例えば、図４および図５に示すように、これらの開口は、対向するコイルの螺旋巻きによって形成され、１７ａ、１７ｂ、１７ｃ、１７ｄ、１７ｅ、および１７ｆで示される（ここでは同様に「開口部位」または「空間」とも称される）異なった区域または領域または部位を有する。開口部位１７ａ〜１７ｆはそれぞれのコイルボディの中に延びている。開口の数はコイルボディの螺旋巻きの数によって変化する。
【００１２】
略Ｈ字型のインナースプリング挿入体１０（ここでは同様に「インナースプリングフォーム緩和用挿入体」または「フォーム緩和用挿入体」または「インナースプリング緩和用挿入体」または「インナースプリング緩和材」または「インナースプリング挿入体」または「インナースプリング支持体」とも称される）は、上述され図１および図２に示されるように、ＲＣＨ型コイルのインナースプリング、または相互に接続された複数のスプリングまたはコイルによって形成されるあらゆるタイプのインナースプリングと組み合わせて取り付けられて使用されることができる。インナースプリング挿入体１０は、上部１２および下部１４の平行な横方向部材と、上部１２および下部１４の横方向部材の間に延びてこれらを二分する横断部材１３とを含んでいる。上部および下部の平行な横方向部材１２、１４はそれぞれ、２つのセグメント１２ａ、１２ｂ、１４ａ、１４ｂを有しており、これらは、離間して配置されたコイルの間に形成された間隙または開口１７においてインナースプリングのコイルの間に嵌め込まれる。インナースプリング挿入体１０は、コイルと係合してコイルとの整合を維持するように、少なくとも２つ以上の開口１７内に嵌め込まれるように構成される。各インナースプリング挿入体１０は、横方向部材１２から第１および第２の対向する方向に延びる２つの上部セグメント１２ａ、１２ｂと、横方向部材１４から第１および第２の対向する方向に延びる２つのセグメント１４ａ、１４ｂとを有する。各インナースプリング挿入体１０は、独自の傾斜したあるいは角度のある構成を有しており、これによって、取付け機構を使用することなく、横方向セグメントが２つの隣接するコイルの間または隣接するコイル列の間の開口部位に延び、その中にしっかりと嵌め込まれることができる。好ましい実施態様において、横平行部材のそれぞれは、およそ９０．５ｍｍ乃至９４．２ｍｍの幅である。２つの横平行部材１２、１４の間に延びてそれらを二分する横断部材１３は、およそ１５．５ｍｍ乃至１８．５ｍｍの幅である。本実施態様のインナースプリング挿入体１０の圧縮されない状態での高さはおよそ５５ｍｍから６５ｍｍの範囲であり、さらに好ましくは５７ｍｍから６２ｍｍの範囲である。
【００１３】
本開示のＨ字型インナースプリング挿入体１０の代表的な断面形状を図４に示す。ここで、インナースプリング挿入体は、長さ方向に隣接するコイル間の空間内に配置される。インナースプリング挿入体のセクション１２ａは第１のコイルの開口１７ａ内にはめ込まれ、セクション１２ｂは第２のコイルの開口１７ｂ内に配置される。同様に、セクション１４ａは第１のコイルの開口１７ｃ内に配置され、セクション１４ｂは第２のコイルの開口１７ｄ内に配置される。Ｈ字型インナースプリング挿入体１０の断面形状の他の例を図５に示す。この例では、インナースプリング挿入体は、幅方向に隣接するコイルの間の空間内に配置される。インナースプリングのセクション１２ａは第１のコイルの開口１７ｃ内に配置され、セクション１２ｂは第２のコイルの開口１７ｂ内に配置される。セクション１４ａは第１のコイルの開口１７ｅ内に配置され、セクション１４ｂは第２のコイルの開口１７ｄ内に配置される。図４および図５の好ましい実施態様においては、挿入体はインナースプリングの支持表面近くまたは近傍のコイルの上部に配置されるように示されているが、或いは、下部に配置されることも可能であり、或いは、インナースプリングの支持表面近く、インナースプリングの中央部、またはインナースプリングの底面近くのいずかでコイルの巻きまたは回旋のいずれかに係合することも可能である。インナースプリング内でのインナースプリング挿入体１０の縦方向の位置は、マットレスの支持特性および感触を決定する要因である。
【００１４】
インナースプリング挿入体１０は、フォーム材料からなることが好ましく、さらに好ましくは、インナースプリング内に取り付けられると実質的に圧縮された状態となり得、インナースプリングにかかる負荷が取り除かれると圧縮される前の構成に素早く戻る独立気泡型ポリウレタンフォームからなる。しかしながら、ここで説明するインナースプリング挿入体は、いずれかの圧縮可能な反発性材料からなることができる。
【００１５】
図６に示すように、長さの異なるエッジ支持チャネル挿入体１０がインナースプリングにおいて略Ｕ字型の構成で配置され、通常はインナースプリングの左右の側部エッジおよび底部エッジ近傍に配置されることができる。この配置によればマットレスの外縁部位の安定性を増すことができる。２つの略Ｈ字型インナースプリング挿入体１０は互いに平行に長手方向に配置され、１つのＨ字型挿入体１０は２つの長手方向に配置された挿入体１０の間に横方向に配置され、それらに垂直に延びている。挿入体１０の各セクションまたはピースは、他の挿入体１０の交差部またはそれらの間にある空間に密接することができる。挿入体１０の数、大きさおよび配置によって、他の区域または部位とは異なる支持特性を有するインナースプリングの区域または部位を創出または形成することもできる。従って、これらは、フォームパッド層、織物製および不織素材の層および詰物入の張り地を含む張り地などの材料からなる上方の層と協働して、より強い支持および／または減圧領域または区域など、特定のマットレス用途に対して配置またはデザインされることができる。図６に示すエッジ支持用のＵ字型構成のためのインナースプリング挿入体１０の長さは、マットレスのサイズにより決定される。例えば、各挿入体のおよその長さは、各種標準マットレスサイズに対して以下の表のようになる。
【００１６】
0005931907.tif 000002
【００１７】
本発明の第２の実施態様において、図８および図９に示されるマットレス用インナースプリングのコイルは２段構造ＲＣＨコイル３２である。上述のＲＣＨコイル１５と２段構造ＲＣＨコイル３２との唯一の違いは、２段構造コイルが水平面および垂直面いずれに対しても非対称であることである。ここで用いられる非対称という用語は、コイルボディ３３の縦軸Ａを通る垂直基準面或いはその軸Ａを垂直に横切る水平基準面などの基準面の片側のコイルの構成が、平面の一方側と他方側では異なっている構成を指す。コイル３２は、ベースまたはボトム端３４とトップまたは支持端３５との間に延びる略螺旋形状のコイルボディ３３を有する。コイルのベース３４およびトップ３５は、末端回旋とも呼ばれる。トップまたは支持端に最も近いコイルボディ３３の基準面ＨＰ側の部分は、コイルボディの上側部位とも称される。ベースまたはボトム端に最も近いコイルボディ３３の基準面ＨＰ側の部分は、コイルボディの下側部位とも称される。当該技術分野で公知のように、スプリングレートおよびその結果として生じるスプリングの感触を決定する主な要因は、ワイヤのゲージ、コイルの螺旋巻きのサイズ（直径）およびピッチ（またはピッチ角）である。通常、コイルの巻き数が増えると、スプリングレートは低下して、よりソフトな感触と支持が得られる。コイルにおける巻きの直径が大きくなるとスプリングレートが低下し、その結果、よりソフトな感触が得られる。ピッチが大きくなるまたは急峻となると、ワイヤの垂直方向性が増大してスプリングは硬くなる。
【００１８】
図９および図１０からわかるように、コイルの上側部位の巻きまたは回旋間のピッチ角は、コイルの下側部位の巻きまたは回旋間のピッチ角よりもかなり小さくなっている。図９および図１０に示すコイルの上側部位のように、コイルの巻きが互いにより近くに配置されている場合には、コイルの頂部はより柔らかくなる。巻きのそれぞれの直径は、コイルの頂部から２番目の巻き以外は同じである。本実施態様では２番目の巻きがコイルボディの中で一番大きな直径となっている。
【００１９】
図７及び図８に示される略Ｔ字型のインナースプリング緩和用挿入体３０は、上述したように、２段型ＲＣＨコイルインナースプリングと組み合わせて使用される。略Ｔ字型のインナースプリング挿入体３０は、下部横方向部材３６と垂直部材３７とを有しており、垂直部材３７は下部横方向部材３６とは垂直であり、それを二分する。垂直部材３７は、垂直部材３７の片側から外向きに延びる横方向伸長部３８をさらに有する。下部横方向部材３６は右部分３６ａおよび左部分３６ｂを有する。これらのインナースプリング挿入体３０は、インナースプリングの隣接する列に配置される２つの２段型ＲＣＨコイル３２の間の空間または開口に嵌め込まれるように設計されている。下部横方向部材の第１の部分３６ａおよび垂直部材３７の横方向伸長部３８は、同一スプリングの隣接する２つのコイルの間に嵌め込まれる。下部横方向部材の第２の部分３６ｂは、インナースプリングの一つの隣接する列に配置されたコイルの巻きの間に延びている。好ましい実施態様において、略Ｔ字型のインナースプリング挿入体３０は、幅がおよそ７２．５乃至７７．５ｍｍであり、高さがおよそ４４．５乃至４９．５ｍｍである。垂直部材の幅は、最も大きい箇所で、およそ１８．５乃至２１．５ｍｍであり、下部横方向部材から横方向伸長部の頂部までの高さは、およそ２６．５乃至２９．５ｍｍである。
【００２０】
本開示におけるＴ字型インナースプリング挿入体３０の代表的な断面形状を図１０に示す。開口１９ａ〜１９ｈと称される、２つの隣接する２段構造ＲＣＨコイルの間の空間または開口は、Ｔ字型挿入体の様々な部分を収容する。例えば、下部横方向部材３６の右部分３６ａは第１のコイルの開口１９ｃ内に配置され、左部分３６ｂは第２のコイルの開口１９ｂ内に配置される。横方向伸長部３８は、第１のコイルの開口１９ａ内に配置される。垂直部材３７は、第１および第２のコイル両方に接触している。
【００２１】
図１１に示すように、複数の略Ｔ字型インナースプリング３０は、インナースプリングの右側近くにあって且つその長さに沿った２つの列に沿って配置され、インナースプリングの左側近くにあって且つその長さに沿った２つの列に沿って配置され、さらに、マットレスの足側の近くにあって且つインナースプリング挿入体の右側２列および左側２列の間に実質的に延びている１つの水平列に沿って配置されている。以下の図表は、異なるマットレスサイズに対して使用される各種サイズのＴ字型チャネルの代表的な例を示している。
【００２２】
0005931907.tif 000003
ここでの実施例および図面は、インナースプリングの三辺に沿ったエッジ支持体として働くことができるインナースプリング挿入体を有するインナースプリングを説明するが、インナースプリングのエッジの、或いはエッジ近くのインナースプリングの全四辺に沿うことを含む、あらゆるサイズのあらゆる数のインナースプリング挿入体が、インナースプリングに挿入されることができる。これらの各種構成は全て本発明の範囲内であると考えられる。
【００２３】
好ましい実施態様において、上述のＨ字型およびＴ字型のインナースプリング挿入体は、密度が約１．２５  ｌｂ／ｆｔ3の１００％低密度ポリエチレンフォームからなるが、他の材料や密度も本発明の範囲内である。また、ＩＬＤおよびＩＦＤ特性などのフォームからなる場合、挿入体の密度または圧縮力は、インナースプリング挿入体とインナースプリングとの組み合わせの変形例における所望の緩和またはスプリングレートの度合いに対して選択されることができる。例えば、比較的低いＩＬＤまたはＩＦＤ測定値のフォームからなるインナースプリング挿入体は、比較的低いスプリングレートを有するスプリングを備えたインナースプリングと組み合わせることが可能であり、その逆もまた同様である。或いは、比較的高いＩＬＤまたはＩＦＤ測定値のフォームからなるインナースプリングを有するスプリングを備えたインナースプリングは、比較的高いスプリングレートを有するスプリングを備えたインナースプリングと組み合わせることが可能であり、その逆もまた同様である。また、本発明は比較的高いＩＬＤまたはＩＦＤフォームを用いて具現化することが可能であり、そのフォームによって、インナースプリング挿入体は実質的な支持および構造的強度をインナースプリングまたはコアユニットに提供する。
【００２４】
広く説明されるように本発明の精神または範囲から逸脱することなく特定の実施態様において示されるように多くの変形及び／または変形例が本発明になされ得ることは当業者には明らかである。したがって、本発明はあらゆる点で単なる例示にすぎず、限定的に解釈してはならない。本発明の他の特徴および態様は本開示を読んで理解すれば当業者には明らかとなるであろう。報告された結果および実施例のそのような特徴、態様、および期待される変形および変形例は明らかに本発明の範囲内であり、本発明は以下に述べる請求の範囲によってのみ限定される。
【図１】
0005931907.tif 000004
【図２】
0005931907.tif 000005
【図３】
0005931907.tif 000006
【図４】
0005931907.tif 000007
【図５】
0005931907.tif 000008
【図６】
0005931907.tif 000009
【図７】
0005931907.tif 000010
【図８】
0005931907.tif 000011
【図９】
0005931907.tif 000012
【図１０】
0005931907.tif 000013
【図１１】
0005931907.tif 000014